(57)【要約】【課題】ネイバー情報を通知するメッセージの情報量を低減し、無線領域を有効活用する。【解決手段】ネイバー情報を通知するメッセージ先頭に格納するネイバー情報として、ネイバー情報を通知するメッセージの情報量がより少なくなるネイバー情報を選択する。メッセージの情報量がより少なくなるネイバー情報として、ネイバー情報の各構成情報について、最も出現頻度の高い値を選択し、各構成情報に出願頻度の高い値を設定した基準ネイバー情報を設定し、先頭に格納してメッセージを生成する。または、各ネイバー基地局のネイバー情報について、そのネイバー情報をメッセージの先頭に格納した場合のメッセージの情報量を算出し、最もメッセージの情報量が少なくなるネイバー情報を基準ネイバー情報として先頭に格納してメッセージを生成する。【選択図】図８
2015070343.tif 000002
【特許請求の範囲】
【請求項１】
基地局から端末へネイバー情報を通知するメッセージが、複数のネイバー基地局のうちの一つのネイバー基地局のネイバー情報を先頭に格納し、先頭以外のネイバー基地局のネイバー情報については、前記先頭のネイバー基地局のネイバー情報と構成情報単位で異なる値の場合に該異なる構成情報を格納して生成される場合、
基地局は、前記先頭に格納するネイバー情報として、ネイバー情報を通知するメッセージの情報量がより少なくなるネイバー情報を選択することを特徴とする基地局。
【請求項２】
前記ネイバー情報を通知するメッセージの情報量がより少なくなるネイバー情報として、
前記基地局は、各ネイバー基地局のネイバー情報の各構成情報について、最も出現頻度の高い値を選択し、各構成情報に該出願頻度の高い値を設定した基準ネイバー情報を設定し、該基準ネイバー情報を先頭に格納して前記メッセージを生成することを特徴とする請求項１に記載の基地局。
【請求項３】
前記ネイバー情報を通知するメッセージの情報量がより少なくなるネイバー情報として、
前記基地局は、各ネイバー基地局のネイバー情報について、そのネイバー情報をメッセージの先頭に格納した場合のメッセージの情報量を算出し、最もメッセージの情報量が少なくなるネイバー情報を基準ネイバー情報として設定し、該基準ネイバー情報を先頭に格納して前記メッセージを生成することを特徴とする請求項１に記載の基地局。
【請求項４】
基地局の追加または削除または構成情報の変更を監視する保守装置から、ネイバー基地局の追加または削除または構成情報の変更の通知を受領すると、再度ネイバー情報を通知するメッセージの情報量がより少なくなるネイバー情報の選択を行い、選択したネイバー情報を先頭に格納してネイバー情報を通知するメッセージを生成し、端末に送信することを特徴とする請求項２または３のいずれかに記載の基地局。
【請求項５】
基地局から端末へネイバー情報を通知するメッセージが、複数のネイバー基地局のうちの一つのネイバー基地局のネイバー情報を先頭に格納し、先頭以外のネイバー基地局のネイバー情報については、前記先頭のネイバー基地局のネイバー情報と構成情報単位で異なる値の場合に該異なる構成情報を格納して生成される場合、
前記先頭に格納するネイバー情報として、ネイバー情報を通知するメッセージの情報量がより少なくなるネイバー情報を選択することを特徴とする基地局におけるネイバー情報通知メッセージの生成方法。
【請求項６】
前記ネイバー情報を通知するメッセージの情報量がより少なくなるネイバー情報として、
各ネイバー基地局のネイバー情報の各構成情報について、最も出現頻度の高い値を選択し、各構成情報に該出願頻度の高い値を設定した基準ネイバー情報を設定し、該基準ネイバー情報を先頭に格納して前記メッセージを生成することを特徴とする請求項５に記載のネイバー情報通知メッセージの生成方法。
【請求項７】
前記ネイバー情報を通知するメッセージの情報量がより少なくなるネイバー情報として、
各ネイバー基地局のネイバー情報について、そのネイバー情報をメッセージの先頭に格納した場合のメッセージの情報量を算出し、最もメッセージの情報量が少なくなるネイバー情報を基準ネイバー情報として設定し、該基準ネイバー情報を先頭に格納して前記メッセージを生成することを特徴とする請求項５に記載のネイバー情報通知メッセージの生成方法。
【請求項８】
基地局の追加または削除または構成情報の変更を監視する保守装置から、ネイバー基地局の追加または削除または構成情報の変更の通知を受領すると、再度ネイバー情報を通知するメッセージの情報量がより少なくなるネイバー情報の選択を行い、選択したネイバー情報を先頭に格納してネイバー情報を通知するメッセージを生成し、端末に送信することを特徴とする請求項６または７のいずれかに記載のネイバー情報通知メッセージの生成方法。
【発明の詳細な説明】
【技術分野】
【０００１】
本発明は、無線通信システムにおける基地局の構成および基地局におけるメッセージ作成処理に関する。
【背景技術】
【０００２】
都市域網（ＭＡＮ：Ｍｅｔｒｏｐｏｌｉｔａｎ  Ａｒｅａ  Ｎｅｔｗｏｒｋ）においてユーザと基地局間の高速なインターネット通信を実現する規格として、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６標準規格が制定された。ＩＥＥＥ８０２．１６の次期規格として、ＩＥＥＥ８０２．１６．１規格が存在する。ＩＥＥＥ８０２．１６．１規格に対応する基地局は、旧規格であるＩＥＥＥ８０２．１６に対応する基地局をネイバー基地局として扱うことができる。ＩＥＥＥ８０２．１６．１規格に対応する基地局は、周期的に端末へ送信するＡＡＩ−ＮＢＲ−ＡＤＶメッセージ内にＩＥＥＥ８０２．１６に対応する基地局の情報を含めることにより、対象の旧規格の基地局もハンドオーバ対象の基地局であることを端末に知らせる。
【０００３】
このメッセージに含めるＩＥＥＥ８０２．１６に対応する基地局の情報は、各ネイバー基地局の構成情報としてＤＣＤ（Ｄｏｗｎｌｉｎｋ  Ｃｈａｎｎｅｌ  Ｄｅｓｃｒｉｐｔｏｒ）およびＵＣＤ（Ｕｐｌｉｎｋ  Ｃｈａｎｎｅｌ  Ｄｅｓｃｒｉｐｔｏｒ）を含んでいる。ＩＥＥＥ８０２．１６．１規格では、ＩＥＥＥ８０２．１６規格に対応する基地局をＲ１  ＢＳと呼ぶ。ＩＥＥＥ８０２．１６．１の規格によれば、ＡＡＩ−ＮＢＲ−ＡＤＶメッセージは、ＤＣＤ＿ＩｎｆｏとＵＣＤ＿Ｉｎｆｏのフィールドに、一つ目のＲ１  ＢＳのネイバー基地局の情報を設定する。二つ目以降のＲ１  ＢＳのネイバー基地局の情報は、Ｄｅｌｔａ＿ＤＣＤとＤｅｌｔａ＿ＵＣＤのフィールドに、一つ目のＲ１  ＢＳの情報として設定したＤＣＤ＿ＩｎｆｏとＵＣＤ＿Ｉｎｆｏと二つ目以降のＲ１  ＢＳのネイバー基地局の情報との差分情報のみを設定する。
【先行技術文献】
【非特許文献】
【０００４】
【非特許文献１】ＩＥＥＥ８０２．１６．１
【発明の概要】
【発明が解決しようとする課題】
【０００５】
ＡＡＩ−ＮＢＲ−ＡＤＶメッセージを送信する無線領域は、ユーザ用のトラフィック情報を送信する無線領域と共有している。そのため、ＡＡＩ−ＮＢＲ−ＡＤＶメッセージに含まれるネイバー情報の情報量が大きくなればなるほど、ユーザ用のトラヒックのために使える無線領域が少なくなる。また、ネイバー基地局の数が多くなればなるほど、ＡＡＩ−ＮＢＲ−ＡＤＶメッセージが無線領域を圧迫してしまう。
本発明は、上記課題を解決するためになされたもので、ＡＡＩ−ＮＢＲ−ＡＤＶメッセージの合計サイズを低減し、無線領域を有効活用することを目的とする。
【課題を解決するための手段】
【０００６】
上記課題を解決するために、本発明においては、ネイバー情報を通知するメッセージ先頭に格納するネイバー情報として、ネイバー情報を通知するメッセージの情報量がより少なくなるネイバー情報を選択するようにしたものである。
【０００７】
またより詳しくは、ネイバー情報を通知するメッセージの情報量がより少なくなるネイバー情報として、各ネイバー基地局のネイバー情報の各構成情報について、最も出現頻度の高い値を選択し、各構成情報に出願頻度の高い値を設定した基準ネイバー情報を設定し、基準ネイバー情報を先頭に格納してメッセージを生成するようにしたものである。
【０００８】
また、より詳しくは、ネイバー情報を通知するメッセージの情報量がより少なくなるネイバー情報として、各ネイバー基地局のネイバー情報について、そのネイバー情報をメッセージの先頭に格納した場合のメッセージの情報量を算出し、最もメッセージの情報量が少なくなるネイバー情報を基準ネイバー情報として設定し、基準ネイバー情報を先頭に格納してメッセージを生成するようにしたものである。
【発明の効果】
【０００９】
本発明によれば、ＡＡＩ−ＮＢＲ−ＡＤＶメッセージの合計サイズを低減し、無線領域を有効に活用できるようになる。
【図面の簡単な説明】
【００１０】
【図１】本発明の一実施例における無線通信システムの構成を説明する図である。
【図２】本発明の一実施例における基地局の構成を説明する図である。
【図３】端末へのネイバー情報の通知処理を説明するシーケンス図である。
【図４】ネイバー情報テーブルの例である。
【図５】ネイバー情報テーブルの作成に必要な構成情報の取得処理について説明するシーケンス図である。
【図６】ＡＡＩ−ＮＢＲ−ＡＤＶメッセージ内の、ネイバー情報の内容を説明する図である。
【図７】ＡＡＩ−ＮＢＲ−ＡＤＶメッセージ内の、ネイバー情報の内容を説明する図である。
【図８】ＡＡＩ−ＮＢＲ−ＡＤＶメッセージの情報量について説明する図である。
【図９】本発明の一実施例におけるＡＡＩ−ＮＢＲ−ＡＤＶメッセージの情報削減方法について説明するフローチャートである。
【図１０】本発明の一実施例における疑似ネイバー情報の構成情報の例を説明するである。
【図１１】本発明の一実施例における疑似ネイバーを使用した場合のＡＡＩ−ＮＢＲ−ＡＤＶメッセージの情報量の例を示す図である。
【図１２】本発明の一実施例におけるＡＡＩ−ＮＢＲ−ＡＤＶメッセージの情報削減方法について説明するフローチャートである。
【図１３】本発明の一実施例における情報量算出方法を説明する図である。
【図１４】本発明の一実施例におけるＡＡＩ−ＮＢＲ−ＡＤＶメッセージの情報量を説明する図である。
【図１５】隣接基地局が追加された場合のＡＡＩ−ＮＢＲ−ＡＤＶメッセージを再生成するシーケンスの例である。
【図１６】隣接基地局が削除された場合のＡＡＩ−ＮＢＲ−ＡＤＶメッセージを再生成するシーケンスの例である。
【図１７】隣接基地局の構成情報が変更された場合のＡＡＩ−ＮＢＲ−ＡＤＶメッセージを再生成するシーケンスの例である。
【発明を実施するための形態】
【００１１】
以下の実施の形態においては便宜上その必要があるときは、複数のセクションまたは実施の形態に分割して説明するが、特に明示した場合を除き、それらは互いに無関係なものではなく、一方は他方の一部または全部の変形例、詳細、補足説明等の関係にある。また、以下の実施の形態において、要素の数等（個数、数値、量、範囲等を含む）に言及する場合、特に明示した場合および原理的に明らかに特定の数に限定される場合等を除き、実施の形態において示した要素の数に限定されるものではなく、実施の形態において示した要素の数以上でも以下でも良い。
【００１２】
さらに、以下の実施の形態において、その構成要素（要素ステップ等も含む）は、特に明示した場合および原理的に明らかに必須であると考えられる場合等を除き、必ずしも必須のものではないことは言うまでもない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。このことは、上記数値および範囲についても同様である。
【００１３】
以下、本発明の実施の形態を図面に基づいて詳細に説明する。なお、実施の形態を説明するための全図において、同一の構成には原則として同一の符号を付し、その繰り返しの説明は省略する。
【００１４】
以下、複数の実施例を図面を用いて説明する。
【実施例１】
【００１５】
図１は、本発明の一実施例における無線通信システム構成を説明する図である。
図１において、基地局１０１ａは、端末１０２と無線回線で接続する。基地局１０１ａは、隣接する他の基地局１０１ｂ、１０１ｃと有線回線で接続する。保守装置１０３は、各基地局１０１ａ〜ｃと接続する。
【００１６】
図２は、本発明の一実施例における基地局の構成を説明する図である。
図２において、基地局１０１は、メモリ２０１と、ＣＰＵ２０２と、無線Ｉ／Ｆ２０３と、有線Ｉ／Ｆ２０４を有する。無線Ｉ／Ｆ２０３は、端末との間で無線信号の送受信を行なう。有線Ｉ／Ｆ２０４は、保守装置や隣接基地局との通信を行なう。
【００１７】
メモリ２０１は、ネイバー情報テーブル２１１を含む。ネイバー情報テーブル２１１は、ネイバー基地局の識別子と、各ネイバー基地局の構成情報を格納する。以下に説明する実施例では、基地局は、ネイバー情報テーブルとして、具体的には、図４に示すテーブルと、図１１に示すテーブルを保持する。各テーブルについての説明は後述する。
【００１８】
ＣＰＵ２０２は、予め設定されたプログラムを実行することで基地局の各構成を制御し、基地局としての動作および以下に説明する本発明の処理を行う。ＣＰＵ２０２は、メッセージ生成部２２１、ネイバー情報演算部２２２を含む。メッセージ生成部２２１は、端末に送信するメッセージの生成を行う。ネイバー情報演算部２２２は、メッセージ生成部２２１がネイバー情報を端末に伝えるメッセージを生成する時に、メッセージサイズの計算や、ネイバー情報の登録順序の入れ替え処理を行う。
【００１９】
図３は、ネイバー情報を端末に伝えるメッセージの処理シーケンスを説明する図である。
図３を参照して、基地局１０１と端末１０２の間でのＡＡＩ−ＮＢＲ−ＡＤＶメッセージの読み取りシーケンスを説明する。
図３において、端末１０２と無線回線で接続している基地局１０１ａはＡＡＩ−ＮＢＲ−ＡＤＶメッセージの生成を行う（Ｓ３０１）。基地局１０１aは生成したＡＡＩ−ＮＢＲ−ＡＤＶメッセージを端末１０２へ送信する（Ｓ３０２）。ＡＡＩ−ＮＢＲ−ＡＤＶメッセージを受信した端末１０２は、メッセージの解析を行う（Ｓ３０３）。端末１０２は、メッセージ解析結果に基づき、ＡＡＩ−ＮＢＲ−ＡＤＶメッセージに含まれた隣接基地局を対象に、隣接基地局が送信するＤＬ  ｂｕｒｓｔ  ｐｒｅａｍｂｌｅ信号を受信し（Ｓ３０４）、隣接基地局の信号強度の測定を行い（Ｓ３０５）、この結果を端末が接続している基地局と隣接基地局との信号強度の比較に用いる。
【００２０】
図４は、ネイバー情報テーブルの例を説明する図である。
ネイバー情報テーブルには、各隣接基地局についてのいくつかの構成情報が格納されている。第１行目のＰａｒａｍｅｔｅｒの行は、構成情報の名称を示している。各構成情報は、構成情報の名称を識別するためのＴｙｐｅ値が決まっており、Ｔｙｐｅ行は各構成情報のＴｙｐｅ値を示している。また、各構成情報は、設定される値のＢｙｔｅ長が決まっており、Ｌｅｎｇｔｈ行は各構成情報のＢｙｔｅ長を示している。図４では、Ｎ１〜Ｎ５で示した５つの隣接基地局の情報が登録されている例を示しており、Ｎ１〜Ｎ５の行に示す値は、各隣接基地局の各構成情報の設定値（Ｖａｌｕｅ）である。
【００２１】
基地局は、図４のネイバー情報テーブルの作成に必要な隣接基地局の識別子と、各隣接基地局に関連するすべての構成情報を、保守装置から受け取ってもよいし、隣接基地局の識別子のみを保守装置から受け取り、各隣接基地局の構成情報は、その隣接基地局に問い合わせて隣接基地局から受け取ってもよい。
【００２２】
図５を参照して、ネイバー情報テーブルの作成に必要な構成情報を隣接基地局に問い合わせて、取得する方法を説明する。
基地局は、隣接基地局の識別子を使用し、その隣接基地局宛に、Ｒａｄｉｏ＿Ｃｏｎｆｉｇ＿Ｕｐｄａｔｅ＿Ｒｅｑメッセージを送信する（Ｓ５０１）。このメッセージを受け取った隣接基地局は、基地局宛に、Ｒａｄｉｏ＿Ｃｏｎｆｉｇ＿Ｕｐｄａｔｅ＿Ｒｐｔメッセージを送信する（Ｓ５０２）。Ｒａｄｉｏ＿Ｃｏｎｆｉｇ＿Ｕｐｄａｔｅ＿Ｒｐｔメッセージは、隣接基地局自身の、すべての構成情報を含んでいる。基地局は、隣接基地局からＲａｄｉｏ＿Ｃｏｎｆｉｇ＿Ｕｐｄａｔｅ＿Ｒｐｔメッセージを受け取ることにより、隣接基地局の構成情報を知ることができる。
【００２３】
図６および７を参照して、ＡＡＩ−ＮＢＲ−ＡＤＶメッセージ内の、ネイバー情報の内容を説明する。
ＡＡＩ−ＮＢＲ−ＡＤＶメッセージ内のネイバー情報は、図４で説明したネイバー情報テーブルに格納された情報を基に作られる。まず、ＡＡＩ−ＮＢＲ−ＡＤＶメッセージ内の、一つ目のネイバー情報の内容を説明する。メッセージに含まれるネイバー情報は、ＴＬＶ（Ｔｙｐｅ-Ｌｅｎｇｔｈ-Ｖａｌｕｅ）  ｅｎｃｏｄｉｎｇという設定形式をとっている。ＴＬＶ  ｅｎｃｏｄｉｎｇでは、一つの構成情報が、Ｔｙｐｅ，Ｌｅｎｇｔｈ，Ｖａｌｕｅの３つの要素により表現される。固定長のＴｙｐｅと、固定長のＬｅｎｇｔｈと、Ｌｅｎｇｔｈで示された可変長のＶａｌｕｅが、この順番に並べられる。一つ目の隣接基地局に関するネイバー情報は、全ての構成情報をメッセージ内に含める。図６の例では、図４で示すＴｙｐｅ＝２，７，８，９の４つの構成情報に関する設定例を示しているが、実際にはネイバー情報テーブルに登録されている全てのＴｙｐｅについて、同様の設定を行う。二つ目以降の隣接基地局に関するネイバー情報についてのメッセージ内への含め方は図７を参照して説明する。
【００２４】
図７を参照して、ＡＡＩ−ＮＢＲ−ＡＤＶメッセージ内の、二つ目以降のネイバー情報の内容を説明する。
二つ目以降の隣接基地局については、一つ目の隣接基地局の構成情報と比較して、異なるもののみを設定する。端末側では、二つ目以降の隣接基地局に関するネイバー情報については、含まれていないＴｙｐｅの構成情報は、一つ目と同じものであると認識し、含まれているＴｙｐｅの構成情報については、一つ目のものとは異なり含まれている値を、その隣接基地局の構成情報であると認識する。
【００２５】
図７は、図４に記載されたＮ２の基地局についての構成情報の設定の仕方を示している。Ｔｙｐｅが２である構成情報については、一つ目と異なるため、対象の構成情報のＴＬＶを含める。Ｔｙｐｅが７である構成情報については、一つ目と同じであるため、対象の構成情報のＴＬＶを含めない。Ｔｙｐｅが２である構成情報については、一つ目と異なるため、対象の構成情報のＴＬＶを含める。Ｔｙｐｅが９である構成情報については、一つ目と同じであるため、対象の構成情報のＴＬＶを含めない。このように、一つ目の構成情報と比較して、異なる構成情報のＴＬＶのみを、二つ目以降のネイバー情報については、設定していく。図７の例では、Ｎ１とＮ２の構成情報を比較し、値が異なるＴｙｐｅ＝２，８，１２の３つの構成情報に関する設定例を示しているが、実際にはネイバー情報テーブルに登録されている全てのＴｙｐｅについて、同様の比較と設定を行う。
【００２６】
図８を参照して、ＡＡＩ−ＮＢＲ−ＡＤＶメッセージの情報量について説明する。
図８には、図４に示される並び順に従いＡＡＩ−ＮＢＲ−ＡＤＶメッセージを構築した場合の情報量を示している。図８では、Ｎ１の情報をＡＡＩ−ＮＢＲ−ＡＤＶメッセージに設定する一つ目の隣接基地局の情報としている。Ｎ２〜Ｎ５の構成情報の空欄は、一つの目の隣接基地局の構成情報と同じ構成情報であるため、二つ目以降の隣接基地局の構成情報として設定される際に、省略される情報を表している。Ｎ２〜Ｎ５の構成情報の数値が記載されている欄は、一つ目の隣接基地局の構成情報と異なるため、二つ目以降の隣接基地局の構成情報として、省略されずに設定される情報を表している。Ａｃｔｕａｌ  ｓｉｚｅの列は、隣接基地局毎に設定される情報量を表しており、メッセージに含まれる各構成情報のＬｅｎｇｔｈ値の総和である。Ｔｏｔａｌ  ｓｉｚｅの行は、Ａｃｔｕａｌ  ｓｉｚｅの総和を表している。
【００２７】
図９を参照して、本発明の一実施例におけるＡＡＩ−ＮＢＲ−ＡＤＶメッセージの生成方法について説明する。
本実施例においては、疑似ネイバー情報を設けてＡＡＩ−ＮＢＲ−ＡＤＶメッセージの情報量を低減させる。疑似ネイバー情報は、実際には存在しない隣接基地局の情報であり、情報量低減のために設定する。
【００２８】
本実施例の疑似ネイバー情報を用いたＡＡＩ−ＮＢＲ−ＡＤＶメッセージの生成方法においては、まず、基地局は、ネイバー情報テーブルを参照し、登録されている隣接基地局の構成情報を読み出す（Ｓ９０１）。その後、疑似ネイバー情報を生成する（Ｓ９０２）。Ｓ９０２で生成する疑似ネイバー情報が持つそれぞれの構成情報は、実際の隣接基地局の構成情報から最も多く現れる値を設定する。そして、生成した疑似ネイバー情報をＡＡＩ−ＮＢＲ−ＡＤＶメッセージに含まれる隣接基地局情報の先頭に設定する（Ｓ９０３）。二つ目以降の隣接基地局の情報には、実際の隣接基地局の構成情報を設定する（Ｓ９０４）。
【００２９】
図１０を参照して、本願発明の一実施例における疑似ネイバー情報の構成情報の例を示す。
図１０でＮ０の行に示すものが、疑似ネイバー情報の構成情報である。
Ｎ１〜Ｎ５の行に示す値は、図４と同様に、実際に存在する各隣接基地局の各構成情報の設定値を表している。
Ｎ０の各構成情報には、Ｎ１〜Ｎ５の値のうち、最も多く現れるものを設定する。但し、ＢＳ  ＩＤ等、規格上隣接基地局間での重複が許されない構成情報については、予め決めておいた疑似ネイバー用の情報を使用し、実際の隣接基地局では使用しないようにしておく。最も多く現れる構成情報が複数存在する場合に、その中からどれを選択するかを決める方法については、予め決めておいた方法を用いる等して決定すればよく、ここでは限定しない。
【００３０】
図１１を参照して、本発明の疑似ネイバー情報を使用した場合のＡＡＩ−ＮＢＲ−ＡＤＶメッセージの情報量を説明する。
この表の見方は、図８と同様である。疑似ネイバー情報を使用することにより、図８で示した先頭の隣接基地局のネイバー情報を一つ目のネイバー情報として設定した場合の情報量（Ｔｏｔａｌ  ｓｉｚｅ）よりも、本実施例の手順で生成したＡＡＩ−ＮＢＲ−ＡＤＶメッセージの情報量（Ｔｏｔal  ｓｉｚｅ）の方が低減ができている。基地局は、図１１のテーブルをメモリ２０１に保持し、図１１のテーブルの情報を基に、ＡＡＩ−ＮＢＲ−ＡＤＶメッセージを生成する。
【実施例２】
【００３１】
実施例１では、各構成要素について、実際の隣接基地局の構成情報から最も多く現れる値を組み合わせて疑似ネイバー情報を設定し、疑似ネイバー情報を一つ目のネイバー情報としてＡＡＩ−ＮＢＲ−ＡＤＶメッセージを生成することでメッセージの情報量を削減する例を示した。以下の実施例２においては、実際の隣接基地局のネイバー情報から一つ目のネイバー情報を決定する場合について説明する。
【００３２】
図１２を用いて、本発明の一実施例におけるＡＡＩ−ＮＢＲ−ＡＤＶメッセージの生成方法について説明する。
基地局は、ネイバー情報テーブルを参照し、登録されている隣接基地局の構成情報を読み出す（Ｓ１２０１）。その後、各隣接基地局について、その隣接基地局を先頭にした場合のＡＡＩ−ＮＢＲ−ＡＤＶメッセージの情報量を算出する（Ｓ１２０２）。算出した情報量から、最も情報量が少なくなる隣接基地局をＡＡＩ−ＮＢＲ−ＡＤＶメッセージに含まれる隣接基地局情報の先頭に設定する（Ｓ１２０３）。二つ目以降の隣接基地局の情報に、その他の隣接基地局の構成情報を設定する（Ｓ１２０４）。
【００３３】
図１３を参照して、ＡＡＩ−ＮＢＲ−ＡＤＶメッセージの情報量の算出方法の一例を説明する。
図１３は、図１２のＳ１２０２で行う情報量算出方法を説明する図である。基地局は、隣接基地局毎にその隣接基地局を仮に先頭に設定した場合に、その他の隣接基地局も含めた情報量がいくつになるかを計算する。具体的には、構成情報毎に、その隣接基地局のその構成情報を先頭に設定した場合に、その構成情報について先頭以外の隣接基地局も含めて情報量がいくつになるかを、Ｌ×{１＋（Ｎ−Ｄ）}で導く（ここで、ＬはＬｅｎｇｔｈ、Ｎは隣接基地局の登録総数、Ｄは他の基地局と値が重複している数（重複無しであれば１、重複が有れば２以上の値）を表す）。
【００３４】
図１３のＮ１〜Ｎ５の行の各列は、Ｌ×{１＋（Ｎ−Ｄ）}で導いた値を示している。そして、構成情報毎に算出した値の総和が、その隣接基地局を先頭に設定した場合の情報量となる。これを各隣接基地局について算出する。図１３の最も右の列に、隣接基地局毎にその隣接基地局を先頭に設定した場合の情報量を示している。
算出した各隣接基地局を先頭に設定した場合の情報量を比較し、最も情報量が小さくなる隣接基地局を、ＡＡＩ−ＮＢＲ−ＡＤＶメッセージに含まれるネイバー情報の先頭に設定する。図１３の例では、Ｎ４が該当する。
【００３５】
図１４を参照して、ＡＡＩ−ＮＢＲ−ＡＤＶメッセージの情報量を説明する。
図１４は、Ｎ４を先頭に設定した場合の情報量を説明する図である。
この表の見方は、図８と同様である。Ｎ４を先頭に使用することにより、図８で示したＡＡＩ−ＮＢＲ−ＡＤＶメッセージのＴｏｔａｌ  ｓｉｚｅよりも情報量の低減ができている。基地局は、図１４のテーブルをメモリ２０１に保持し、図１４のテーブルの情報を基に、ＡＡＩ−ＮＢＲ−ＡＤＶメッセージを生成する。
【００３６】
基地局は、実施例１と実施例２で説明した方法の何れかのみの手段を用いてもよいし、実施例１と実施例２の両方の手段を実施し、より情報量が小さくなる手段を選択してもよい。
隣接基地局の構成情報の取得は、保守装置もしくは隣接基地局から全てを受け取ってもよいし、保守装置と隣接基地局の双方から一部ずつを受け取ってもよい。
実施例１と実施例２で説明したＡＡＩ−ＮＢＲ−ＡＤＶメッセージの情報量の演算やＡＡＩ−ＮＢＲ−ＡＤＶメッセージの生成等は、基地局で行ってもよいし、保守装置や、基地局と接続するその他の装置で行ってもよい。
【００３７】
一度実施例１もしくは実施例２の手段を使用し、ＡＡＩ−ＮＢＲ−ＡＤＶメッセージを生成した後、隣接基地局の構成情報の追加、削除、変更が発生した場合に再度実施例１もしくは実施例２の手段を使用し、最新の状態によるメッセージサイズの低減を行ってもよい。
【実施例３】
【００３８】
隣接基地局の追加、削除、変更が発生した場合の、ネイバー情報テーブル更新のシーケンスを以下にて説明する。
【００３９】
図１５を参照して、隣接基地局の追加が発生した場合のシーケンスを説明する。
基地局は既に保持しているネイバー情報テーブルを基に、ＡＡＩ−ＮＢＲ−ＡＤＶを送信している（Ｓ１５０１）。保守装置は、基地局へ隣接基地局新規登録通知を送信する（Ｓ１５０２）。この通知には少なくとも、追加で登録する隣接基地局の識別子を含んでいる。基地局は、追加で登録する隣接基地局の構成情報を取得するために、隣接基地局へＲａｄｉｏ＿Ｃｏｎｆｉｇ＿Ｕｐｄａｔｅ＿Ｒｅｑメッセージを送信する（Ｓ１５０３）。隣接基地局は、基地局へ、Ｒａｄｉｏ＿Ｃｏｎｆｉｇ＿Ｕｐｄａｔｅ＿Ｒｐｔメッセージを送信する（Ｓ１５０４）。Ｓ１５０２とＳ１５０３の動作は、Ｓ５０１とＳ５０２の動作と同じである。基地局は、ネイバー情報テーブルに隣接基地局の構成情報を追加する（Ｓ１５０５）。更新したネイバー情報テーブルを基に、実施例１もしくは実施例２の手段を使用し、ＡＡＩ−ＮＢＲ−ＡＤＶメッセージを再生成する（Ｓ１５０６）。基地局は、新しく生成したＡＡＩ−ＮＢＲ−ＡＤＶを端末へ送信する（Ｓ１５０７）。保守装置から隣接基地局の構成情報のすべてを、Ｓ１５０１で受け取る場合には、Ｓ１５０２とＳ１５０３の手順は省略する。
【００４０】
図１６を参照して、隣接基地局の削除が発生した場合のシーケンスを説明する。
基地局は既に保持しているネイバー情報テーブルを基に、ＡＡＩ−ＮＢＲ−ＡＤＶを送信している（Ｓ１６０１）。保守装置は、基地局へ隣接基地局削除通知を送信する（Ｓ１６０２）。基地局は、削除対象の隣接基地局の構成情報をネイバー情報テーブルから削除する（Ｓ１６０３）。更新したネイバー情報テーブルを基に、実施例１もしくは実施例２の手段を使用し、ＡＡＩ−ＮＢＲ−ＡＤＶメッセージを再生成する（Ｓ１６０４）。基地局は、新しく生成したＡＡＩ−ＮＢＲ−ＡＤＶを端末へ送信する（Ｓ１６０５）。
【００４１】
図１７を参照して、隣接基地局の構成情報が変更された場合のシーケンスを説明する。
基地局は既に保持しているネイバー情報テーブルを基に、ＡＡＩ−ＮＢＲ−ＡＤＶを送信している（Ｓ１７０１）。隣接基地局は、自身の構成情報の変更があった場合には、基地局へ、Ｒａｄｉｏ＿Ｃｏｎｆｉｇ＿Ｕｐｄａｔｅ＿Ｒｐｔメッセージを送信する（Ｓ１７０２）。Ｒａｄｉｏ＿Ｃｏｎｆｉｇ＿Ｕｐｄａｔｅ＿Ｒｐｔメッセージには、隣接基地局自身の識別子と、隣接基地局自身のすべての構成情報を含んでいる。
基地局は、ネイバー情報テーブルに登録されている隣接基地局の構成情報を、Ｓ１７０２のメッセージに含まれていた情報に基づいて変更する（Ｓ１７０３）。更新したネイバー情報テーブルを基に、実施例１もしくは実施例２の手段を使用し、ＡＡＩ−ＮＢＲ−ＡＤＶメッセージを再生成する（Ｓ１７０４）。基地局は、新しく生成したＡＡＩ−ＮＢＲ−ＡＤＶを端末へ送信する（Ｓ１７０５）。
【符号の説明】
【００４２】
１０１  基地局
１０２  端末
１０３  保守装置
２０１  メモリ
２０２  ＣＰＵ
２０３  無線Ｉ／Ｆ
２０４  優先Ｉ／Ｆ
２１１  ネイバー情報テーブル
２２１  メッセージ生成部
２２２  ネイバー情報演算部
【図１】
2015070343.tif 000003
【図２】
2015070343.tif 000004
【図３】
2015070343.tif 000005
【図４】
2015070343.tif 000006
【図５】
2015070343.tif 000007
【図６】
2015070343.tif 000008
【図７】
2015070343.tif 000009
【図８】
2015070343.tif 000010
【図９】
2015070343.tif 000011
【図１０】
2015070343.tif 000012
【図１１】
2015070343.tif 000013
【図１２】
2015070343.tif 000014
【図１３】
2015070343.tif 000015
【図１４】
2015070343.tif 000016
【図１５】
2015070343.tif 000017
【図１６】
2015070343.tif 000018
【図１７】
2015070343.tif 000019